(57)【要約】【課題】オンラインショッピングシステムにおいて、顧客が商品を購入すると同時に、抽選を行い、この抽選結果に基づいて、即時に商品の無料購入を含めた値引き購入を可能とする即時値引き販売システムを提供する。【解決手段】  本発明は、顧客が商品の購入要求を行う顧客端末１と、商品毎の販売価格を格納した商品情報テーブル３ａを備えて前記商品の販売を行うサーバ２と、の間でネットワーク１０を介して値引き取引を行う値引き販売システムにおいて、前記サーバ２が、顧客情報テーブル３ｂ、抽選結果テーブル３ｃ及び購入履歴テーブル３ｄを備えたデータベース３に接続され、商品の購入要求時に前記顧客端末１の画面上で抽選を行い、前記商品の購入要求があった顧客の過去の利用履歴を前記購入履歴テーブル３ｄから抽出し、前記利用履歴と前記前記利用履歴に対応した予め生成した乱数値とに対応した割引率を算出して、即時に値引き率を決めて前記商品の販売を行うことを特徴とするネットワーク販売における即時値引き販売システムに関する。【選択図】図１
2016181029.tif 000002
【特許請求の範囲】
【請求項１】
顧客が商品の購入要求を行う顧客端末と、商品毎の販売価格を格納した商品情報テーブルを備えて前記商品の販売を行うサーバと、の間でネットワークを介して値引き取引を行う値引き販売システムにおいて、前記サーバが、顧客情報テーブル、抽選結果テーブル及び購入履歴テーブルを備えたデータベースに接続され、商品の購入要求時に、前記顧客端末の画面上で抽選を行い、前記商品の購入要求があった顧客の過去の利用履歴を前記購入履歴テーブルから抽出し、前記利用履歴と前記前記利用履歴に対応した予め生成した乱数値とに対応した割引率を設定して、即時に値引き率を決めて前記商品の販売を行うことを特徴とするネットワーク販売における即時値引き販売システム。
【請求項２】
前記商品情報テーブルには、商品名と商品価格が、前記顧客情報テーブルには、顧客ＩＤ，顧客氏名・住所、メールアドレス及びクレジットカード情報等が、前記抽選結果テーブルには、賞品名及び抽選の際の当選確率を決める生成された乱数値等が、また、前記購入履歴テーブルには、顧客が過去に購入した商品の種類、数量及び金額ならびに商品購入キャンセル歴等が、それぞれ格納させていることを特徴とする請求項１に記載の即時値引き販売システム。
【請求項３】
前記割引率が、最大で１００％（無料）であることを特徴とする請求項１に記載の即時値引き販売システム。
【請求項４】
前記乱数値が、疑似乱数アルゴリズムにより生成されることを特徴とする請求項１に記載の即時値引き販売システム。
【請求項５】
前記顧客端末の画面上で抽選を前記顧客端末のディスプレイで、前記商品の購入要求から当選決定による即時値引きまでを、リアルタイムでアニメーション表示して、顧客が目視可能であることを特徴とする請求項１に記載の即時値引き販売システム。
【請求項６】
前記購入履歴テーブルに格納された顧客の商品購入キャンセル歴を基に不良顧客を特定し、不正購入要求を阻止する不正防止手段を、さらに設けたことを特徴とする請求項１に記載の即時値引き販売システム。
【発明の詳細な説明】
【技術分野】
【０００１】
本発明は、オンラインショッピングシステムに係り、特に、顧客のオンラインショッピング時に、即時に、最大で商品価格の１００％の値引き（無料）をする販売システムに関する。
【背景技術】
【０００２】
従来、電気製品、カメラ等の量販店では、キャンペーン売出し中、店頭でくじ引き（抽選）を行い、例えば、１００人に１人等の低い確率で、販売する商品を無料にする事例があった。
【０００３】
また、オンラインショッピングで、商品の購入操作後に抽選を行うものとして、商品の決済時に抽選の権利を示すスリップ等を顧客に配布しておき、後日、顧客が当該抽選の権利を行使した時点で、抽選を行い、その抽選結果によって、当該商品の購入額と同額の現金や金券を顧客に配布する事例があった。しかし、この種の従来の事例では、決済時と抽選時との間に時間差があるため、実質的に無料で商品を購入できる場合でも、決済時に顧客が無料で購入できたとする購入感及び臨場感に乏しかった。
【０００４】
さらに、オンラインショッピングでは、従来、図５に示すような、ネットワーク販売システムにおいて、顧客がゲーム感覚で、即座に商品の販売価格を値引き取引できるシステムがあった。即ち、この従来例の値引き取引できるシステムでは、図５に示すように、サーバ１０２は、ユーザー端末１０１から値引き取引要求があった場合には、値引き交渉ボタンと籤（くじ）引きボタンとゲームボタンとをユーザー端末１０１の画面上に表示させ、値引き交渉ボタンの場合には、値引き交渉内容の入力を顧客に促し、入力された値引き交渉内容から値引き交渉条件キーワードを抽出する。籤引きボタンの場合には、乱数値を算出し、ゲームボタンの場合には、ゲームの実行を促し、当該顧客の利用状況を顧客マスターデータベース１２４から抽出する。そして、抽出された値引き交渉条件キーワードまたは算出された乱数値またはゲームの点数と抽出された利用状況を基に、値引き率マスターデータベース１２５から該当する値引き率を抽出し、商品マスターデータベース１２３から読みだした商品の販売価格と抽出した値引き率とから、値引き後、販売価格を算出してユーザー７端末１０１の画面に表示して、顧客の値引き後、販売価格による商品の注文を促すようになっていた。
【先行技術文献】
【特許文献】
【０００５】
【特許文献１】特開２００３−６７６０６号公報
【発明の概要】
【発明が解決しようとする課題】
【０００６】
従来のネットワーク販売システムにおいては、顧客がゲーム感覚で行った結果を、顧客の当該ネットワーク販売システムの利用状況に基いて、対象商品の販売価格の値引き取引に興味をもたせつつ、値引き交渉が迅速に行えるようにしていた。しかしながら、即座に、値引き後販売価格での注文を促すことができるものの、先ず、くじ引き（抽選）の結果のみが顧客に通知されるため、１００％値引き（無料）になるとしても、その購入感や満足感がなかった。
【０００７】
これに加えて、この種の従来のネットワーク販売システムでは、顧客が複数の銀行口座等を設けて商品を購買し、値引き交渉を有利にして、２回以上の特典を受ける等の不正行為を防止する手段が備わっていなかった。
【課題を解決するための手段】
【０００８】
本発明は、このような従来のネットワーク販売システムのもつ問題点に鑑みてなされたもので、オンラインショッピングシステムにおいて、顧客が商品を購入すると同時に、抽選を行い、この抽選結果に基づいて、即時に商品の無料購入を含めた値引き購入を可能とする即時値引き販売システムを提供する。
【０００９】
このために、本発明の即時値引き販売システムは、顧客が商品の購入要求を行う顧客端末と、商品毎の販売価格を格納した商品情報テーブルを備えて前記商品の販売を行うサーバと、の間でネットワークを介して値引き取引を行う値引き販売システムにおいて、前記サーバが、顧客情報テーブル、抽選結果テーブル及び購入履歴テーブルを備えたデータベースに接続され、商品の購入要求時に前記顧客端末の画面上で抽選を行い、前記商品の購入要求があった顧客の過去の利用履歴を前記購入履歴テーブルから抽出し、前記利用履歴と前記前記利用履歴に対応させて、予め生成した乱数値に対応した割引率を設定して、即時に値引き率を決めて、前記商品の販売を行うことを特徴とする。
【００１０】
また、本発明の即時値引き販売システムでは、前記商品情報テーブルには、商品名とその販売価格が、前記顧客情報テーブルには、顧客ＩＤ，顧客氏名・住所、メールアドレス及びクレジットカード情報が、前記抽選結果テーブルには、賞品名及び抽選の際の当選確率を決める生成された乱数値等が、また、前記購入履歴テーブルには、顧客が過去に購入した商品の種類、数量及び金額ならびに商品購入キャンセル歴等が、それぞれ格納させていることを特徴とする。
【００１１】
さらに、本発明の即時値引き販売システムでは、前記割引率が、最大で１００％（無料）であることを特徴とする。
本発明の即時値引き販売システムでは、前記乱数値が、疑似乱数アルゴリズムにより生成されることを特徴とする。
【００１２】
またさらに、本発明の即時値引き販売システムでは、前記顧客端末の画面上で抽選を前記顧客端末のディスプレイで、前記商品の購入要求から当選決定による即時値引きまでを、リアルタイムでアニメーション表示して、顧客が目視して確認を可能とすることを特徴とする。
【００１３】
本発明の即時値引き販売システムでは、前記購入履歴テーブルに格納された顧客の商品購入キャンセル歴を基に、不良顧客を特定し、不正購入要求を阻止する不正防止手段を、さらに設けたことを特徴とする。
【発明の効果】
【００１４】
本発明の即時値引き販売システムにより、顧客の商品購入に対する射幸心を高め、さらなる購買力を醸成する仕組みが提供されるようになる。
【図面の簡単な説明】
【００１５】
【図１】本発明のオンラインショッピングにおける即時値引き販売システのシステム構成を示すブロック図である。
【図２】図１に示した本発明の即時値引き販売システムのユーザー端末、サーバ及びデータベース間の相互操作シーケンスを示す図である。
【図３】図２に示した本発明の即時値引き販売システムにおける不正防止手段の機能を示すフローチャートである。
【図４】図３に示した抽選処理操作のアニメーションによる表示である。
【図５】従来の販売価格を値引き取引できるオンラインショッピングシステムの構成図である。
【発明を実施するための形態】
【００１６】
以下、添付した図面を参照して本発明のオンラインショッピングにおける即時値引き販売システム（以下、“本発明の 即時値引き販売システム”という）の実施の形態を説明する。
【００１７】
まず、図１に示すように、本発明の即時値引き販売システムは、顧客端末１とオンラインショピングサイトＯＳのサーバ２と、これらの顧客端末１とサーバ２を相互に接続するインターネットであるネットワーク１０と、から構成されている。
【００１８】
ここで、顧客端末１は、パーソナルコンピュータ等の情報処理装置であって、図示したディスプレイ１ａの他に、図示しないマウス、キーボード等を備えている。
【００１９】
顧客端末１は、オンラインショピングサイトＯＳのサーバ２を介して、オンラインショピングサイトＯＳに設けられたデータベース３にアクセスして、その顧客情報テーブル３ｂ抽選結果テーブル３ｃ及び購入履歴テーブル３ｄに格納された情報に照会できるようになっている。
【００２０】
商品情報テーブル３ａには,商品名とその価格が、顧客情報テーブル３ｂには、顧客ＩＤ、顧客氏名、住所、クレジットカード情報（例えば、不良顧客か否か）が、また、抽選結果テーブル３ｃには、賞品、当選確率等の情報が格納されている。さらに、購入履歴テーブル３ｄには、顧客が過去に購入した商品の種類や数量、金額等の情報が格納されている。
【００２１】
次に、図２に基いて、本発明の即時値引き販売システムの操作手順を説明する。
【００２２】
まず、顧客が、顧客端末１から購入する予定の商品の購入要求の操作をする（ステップＳ１参照）。
【００２３】
この購入要求がサーバ２に到達すると、サーバ２は、顧客を識別するＩＤコードを用いてデータベース３の顧客情報テ−ブル３ｂに問い合わせを行う（ステップＳ１．１参照）。ここで、顧客情報テ−ブル３ｂには、前述したように、顧客のＩＤコード、氏名、住所、電話番号、メールアドレス、クレジットカード番号、不良顧客か否かを識別する情報が格納されている。
【００２４】
サーバ２は、顧客のクレジットカードが有効であるか否か、不良顧客でないか等、顧客が商品を決済できる状態か否かを確認した（ステップＳ１．１．１参照）上で、疑似乱数アルゴリズムを用いて乱数を生成する（ステップＳ３）。
【００２５】
ここで、この乱数値は、確定的な計算によって求めている疑似乱数列による乱数を用いているので、一定の範囲の値をとることが保証されているから、サーバ２は、生成された、この乱数値を用いてデータベース３の抽選結果テーブル３ｂに問い合わせを行う（Ｓ１．４参照）。
【００２６】
この抽選結果テーブル３ｂには、乱数値の範囲と抽選結果の対応関係が設定されていて、サーバ２で生成された乱数値を基に抽選結果を算出する（ステップＳ１．４．１）。この抽選結果には、商品の購入額自体の値引き購入の対象になっていない商品の無料プレゼントが含まれている（ステップＳ１．４．１）。サーバ２で生成乱数値を生成する際、購入履歴テーブル３ｄに格納されている情報を参照して、顧客のオンラインショピングサイトの利用状況及び累積購入金額の多寡を加味してもよい。
【００２７】
次いで、サーバ２は、抽選結果が算出されると同時に決済を完了させる（ステップＳ１．２）。
【００２８】
また、サーバ２で抽選が行われている間（ステップ１．３参照）、顧客端末１のディスプレイ１ａ（図１参照）上に、図４（ａ）〜図４（ｇ）に示すように、抽選中の過程を示すガラポン抽選器の動きが、順次、アニメーションで表示される。
【００２９】
即ち、図４（ａ）に示すように、顧客が、ディスプレイ１ａ上の「購入する」の表示にプッシュすると、図４（ｂ）に示すように、ガラポン抽選器（通称）が回転し出し、「抽選しています」と表示され、図４（ｃ）に示すように、さらに回転を続け、図４（ｄ）（ｅ）に示すように、ガラポン抽選器の中から抽選球が飛びだす。    
【００３０】
ここで、抽選球の種類は、例えば、商品代金が無料となる１等賞から最低でも２０％値引きになる３等賞等の数種類のものからなる。そして、図４（ｆ）に示すように、抽選した抽選球が画面に表示され、図４（ｇ）に示すように、「購入完了」の表示がなされ、１等賞の場合には、「１等当選、商品代金が無料になります、お買い上げありがとうございました」の表示が画面になされるようになる。
【００３１】
ここで、決済完了と同時にサーバ２から抽選結果を含む情報が、顧客端末１に送信されるが、顧客端末１のディスプレイ１ａには、まず抽選の過程から抽選結果までをアニメーションで表示される（図４（ｃ）〜（ｆ）参照）。
【００３２】
これにより、抽選結果を顧客に提示してから決済完了（図４（ｇ）参照）まで、をディスプレイ１ａに画面で表示することにより、あたかも、その場で抽選が行われたような臨場感をもって、顧客が抽選を体験できるようになり、さらなる購買意欲が醸成されることになる。
【００３３】
また、本発明の即時値引き販売システムの中核となる、抽選操作に対する不正行為として、顧客が抽選結果に満足せず、商品の購入をキャンセルすることで、抽選をやり直すような行為が想定される。
【００３４】
そこで、図３に示すように、本発明の即時値引き販売システムでは、顧客の過去の商品購入キャンセル履歴等を基に、顧客情報テーブル３ｂに不良顧客であることを記録して、決済可否問い合わせをして、この種の不良顧客のさらなる不正購入操作を防止できる。
【００３５】
即ち、本発明の即時値引き販売システムの不正防止手段では、図３に示すように、顧客端末１から商品の購入要求がなされると、抽選中のアニメーション表示が顧客端末１のディスプレイ１ａ上になされる（ステップ１１参照）。
【００３６】
次いで、顧客情報テーブル３ｂに、不良顧客として、顧客名が格納されているか否かを判断し（ステップ１２参照）、ＹＥＳの場合には、エラー表示がなされて（ステップ１６参照）、不正行為とされ、抽選処理が行われない。他方、ＮＯの場合（不良顧客でない）には、購入要求された商品の決済情報の有効または無効の判断がされ（ステップ１３参照）、ＹＥＳ（無効）の場合には、エラー表示がなされステップ１６参照）、また、ＮＯ（有効）の場合には、抽選処理がなされる（ステップ１４参照）。この抽選結果は、アニメーション表示され（ステップ１５参照）、抽選結果を顧客が画面上で知ることができるようになっている。
【産業上の利用可能性】
【００３７】
本発明の即時値引き販売システムは、オンラインショッピングサイトで扱われる全ての商品の即時値引き販売に用いられるとともに、ＰＯＳを用いた店頭販売にも適用できる。
【符号の説明】
【００３８】
１    顧客端末
１ａ  ディプレイ
２    サーバ
３    データベース
３ａ  商品情報テーブル
３ｂ  顧客情報テーブル
３ｃ  抽選結果テーブル
３ｄ  購入履歴テーブル
１０  ネットワーク
ＯＳ  オンラインショッピングサイト
【図１】
2016181029.tif 000003
【図２】
2016181029.tif 000004
【図３】
2016181029.tif 000005
【図４】
2016181029.tif 000006
【図５】
2016181029.tif 000007